(57)【特許請求の範囲】
【請求項１】
少なくとも一基の設備ユニットと、該設備ユニットにおける工程の進行状況をモニタしつつ前記設備ユニットを制御する少なくとも一基のホストコンピュータと、前記設備ユニットにおける工程の進行状況をモニタし、モニタ結果を前記ホストコンピュータへ与える少なくとも一基の拡張コンピュータ統合ユニットとを含み、
前記ホストコンピュータと、前記拡張コンピュータ統合ユニット及び前記設備ユニット間を直列通信インターフェースを介して互いにデータ通信を行い、
前記ホストコンピュータと、前記設備ユニット上にそれぞれの直列通信ポートを少なくとも一つ備え、しかも、
前記拡張コンピュータ統合ユニットに、第１の連通ポートと第２の連通ポートを備えるコンピュータ統合生産システムに適用する直列通信用並列モニタ装置であって、
(a) 、前記ホストコンピュータ上の通信ポートに接続する為の第１の接続ポートと、前記拡張コンピュータ統合ユニット上の第２の連通ポートと接続する為の第２の接続ポートと、前記拡張コンピュータ統合ユニット上の第１の連通ポートと接続する為の第３の接続ポート及び前記設備ユニットの通信ポートに接続する為の第４の接続ポートとを有し、
(b) 、第１の切替位置に切替えられた場合に前記第４の接続ポートを前記第１の接続ポートに接続させ、第２の切替位置に切替えられた場合に前記第４の接続ポートを前記第３の接続ポートに接続させると共に、前記第１の切替位置または前記第２の切替位置に切替自在の切替モジユールを有し、
(c) 、前記拡張コンピュータ統合ユニットの正常動作状態又は故障状態を検知し、前記拡張コンピュータ統合ユニットが正常動作状態の場合は、前記切替モジユールを前記第２の切替位置に位置させて前記設備ユニットを前記拡張コンピュータ統合ユニットに接続させると共に、前記ホストコンピュータに連通し、前記拡張コンピュータ統合ユニットが故障状態の場合は、前記切替モジユールを前記第１の切替位置に位置させて前記設備ユニットを直接前記ホストコンピュータに接続する制御用ロジック装置を備え、
前記制御用ロジック装置は、計時手段を有し、前記拡張コンピュータ統合ユニットを経由する前記ホストコンピュータと前記設備ユニットとの間の通信内容の内の前記ホストコンピュータからの要求信号それぞれに対する前記設備ユニットからの回答時間が前記計時手段が算出する基準参考時間を越えるか否かを継続的に検出することにより、前記回答時間が前記基準参考時間を越える場合に前記拡張コンピュータ統合ユニットが故障状態であると判定すること
を特徴とする直列通信用並列モニタ装置。
【請求項２】
前記ホストコンピュータ及び前記設備ユニット上の直列通信ポートが半導体装置通信規定(SECS)の直列通信ポートであることを特徴とする請求項１に記載の直列通信用並列モニタ装置。
【請求項３】
前記切替モジユールに複数の継電器を含むことを特徴とする請求項１に記載の直列通信用並列モニタ装置。
【請求項４】
前記拡張コンピュータ統合ユニットは、前記ホストコンピュータ以外の独立するコンピュータ装置であることを特徴とする請求項１に記載の直列通信用並列モニタ装置。
【請求項５】
少なくとも一基の設備ユニットと、該設備ユニットにおける工程の進行状況をモニタしつつ前記設備ユニットを制御する少なくとも一基のホストコンピュータと、前記設備ユニットにおける工程の進行状況をモニタし、モニタ結果を前記ホストコンピュータへ与える少なくとも一基の拡張コンピュータ統合ユニットとを含むコンピュータ統合生産システムであって、
(a) 、前記少なくとも１基のホストコンピュータは一つの直列通信ポートを有し、
(b) 、前記少なくとも１基の設備ユニットは一つの直列通信ポートを有し、
(c) 、前記少なくとも１基の拡張コンピュータ統合ユニットは第１の連通ポート及び第２の連通ポートを有し、
(d) 、前記直列通信用並列モニタ装置は、
(d1)、前記ホストコンピュータ上の通信ポートとの接続に用いる第１の接続ポートと、前記拡張コンピュータ統合ユニット上の第２の連通ポートとの接続に用いる第２の接続ポートと、前記拡張コンピュータ統合ユニット上の第１の連通ポートとの接続に用いる第３の接続ポートと、前記設備ユニット上の通信ポートとの接続に用いる第４の接続ポートとを有し、
(d2)、第１の切替位置に切替えられた場合に前記第４の接続ポートを前記第１の接続ポートに接続させ、第２の切替位置に切替えられた場合に前記第４の接続ポートを前記第３の接続ポートに接続させると共に、前記第１の切替位置または前記第２の切替位置に切替自在の切替モジユールを有し、
(d3)、計時手段を有し、前記拡張コンピュータ統合ユニットを経由する前記ホストコンピュータと前記設備ユニットとの間の通信内容の内の前記ホストコンピュータからの要求信号それぞれに対する前記設備ユニットからの回答時間が前記計時手段が算出する基準参考時間を越えるか否かを継続的に検出することにより、前記回答時間が前記基準参考時間を越える場合に前記拡張コンピュータ統合ユニットが故障状態であると判定し、
前記拡張コンピュータ統合ユニットが正常動作状態の場合は、前記切替モジユールを前記第２の切替位置に位置させて前記設備ユニットを前記拡張コンピュータ統合ユニットに接続させると共に、前記ホストコンピュータに連通し、
前記拡張コンピュータ統合ユニットが故障状態であると判定された場合は、前記切替モジユールを前記第１の切替位置に位置させて前記設備ユニットを直接前記ホストコンピュータに接続することを
特徴とするコンピュータ統合生産システム。
【請求項６】
前記ホストコンピュータ及び前記設備ユニット上の直列通信ポートが半導体装置通信規定(SECS)の直列通信ポート、または、特別通信規定の直列通信ポートであることを特徴とする請求項５に記載のコンピュータ統合生産システム。
【請求項７】
前記拡張コンピュータ統合ユニットは、前記ホストコンピュータ以外の独立するコンピュータ装置であることを特徴とする請求項５に記載のコンピュータ統合生産システム。
【請求項８】
前記切替モジユールに複数の継電器を含むことを特徴とする請求項５に記載のコンピュータ統合生産システム。
【発明の詳細な説明】
【０００１】
【発明の属する技術分野】
本発明はコンピュータ統合生産技術(CIM, Computer Integrated Manufacturing)に関し、特に半導体装置通信規定(SECS, Semiconductor Equipment Communication Standard)に適用するコンピュータ統合生産システムにおけるパススルーの拡張コンピュータ統合ユニット(Extended Computer Integrated Unit) に故障が発生した場合、その接続する設備ユニットを直接ホストコンピュータに接続することによって、それぞれの設備ユニット上で行われるプロセスが拡張コンピュータ統合ユニットの故障による停止を防ぎうるコンピュータ総合生産システム及びそれに適用する直列通信用並列モニタ装置に関する。
【０００２】
【従来の技術】
コンピュータ統合生産技術は、目前のコンピュータ制御の自動化工程を介して、全体生産能率の向上に半導体製造工場で広汎的に応用される。通常の半導体製造プロセスは、複数の製造ステップに工程を分割し、それぞれの異なる設備ユニット上にて行われる故、これらの設備ユニット上にて行われる製造ステップを統合的に制御するためのコンピュータ統合生産技術が用いられ、それぞれの設備ユニットをホストコンピュータに接続し、前記ホストコンピュータを用いて全工程の統合制御が行われる。従来のコンピュータ統合生産システムは、ホストコンピュータと、各設備ユニット間のデータ通信にＳＥＣＳ通信規定を用い、ホストコンピュータはＳＥＣＳ通信用線路を介して工程制御用パラメータを各設備ユニットに伝送し、各設備ユニットからも同一のＳＥＣＳ通信用線路を介して工程状態データを回送し、ホストコンピュータの統合制御に供する。
【０００３】
図10は、従来技術における周知コンピュータ統合生産システムの基本構成を示すシステムブロック図である。前記コンピュータ統合生産システムは、ホストコンピュータ10一基と、設備ユニット21、22の二基（実際のコンピュータ統合生産システムには数十基の設備ユニットを備えることも可能であるが、図面の簡略化及び説明の方便上，設備ユニットは、二基のみを示す）を備え、前記ホストコンピュータ10が前記設備ユニット21、22における工程の進行状況をモニタして制御する故、ホストコンピュータ10と第１の制御対象の設備ユニット21との間に第１のSECS直列通信用線路21a を設けると共に、ホストコンピュータ10と第２の制御対象の設備ユニット22との間に第２のSECS直列通信用線路22a を設ける。前記第１のSECS直列通信用線路21a を介してホストコンピュータ10が工程制御用パラメータを第１の設備ユニット21に伝送し、且つ、前記第１の設備ユニット21から工程状況データをホストコンピュータ10宛に回送させ、第２のSECS直列通信用線路22a を介してホストコンピュータ10が工程制御用パラメータを第２の設備ユニット22に伝送し、第２の設備ユニット22から工程状況データをホストコンピュータ10宛に回送する。
【０００４】
しかし、前記コンピュータ統合生産システムに於ける欠点は、構成状態の修正に於ける生産ストップ、又は、元構成システムの破壊による生産不可がある故、ホストコンピュータ10に於いて元構成状態を変えずにモニタ制御の機能増加を要する場合の問題が生じる。
【０００５】
図11は、前記問題の解決方法を掲示した説明用のブロック図である。当該方法は、ホストコンピュータ10と、各設備ユニット間にパススルー構成の拡張コンピュータ統合ユニット30を接続する方法であって、拡張コンピュータ統合ユニット30（例えば、小型コンピュータ等のホストコンピュータ10以外の独立データ処理装置）をSECS直列通信用線路20a ，30a 等により、それぞれの設備ユニット20と、ホストコンピュータ10とを接続し、前記拡張コンピュータ統合ユニット30が接続する前記設備ユニット20に於いて行われる工程の関連資料をモニタ制御することでホストコンピュータ10のモニタ制御能力を拡張し、前記コンピュータ統合生産システムの全体能力向上に協力させうる。
【０００６】
然るに、図12が示すように、前記解決方法の問題点は、前記拡張コンピュータ統合ユニット30に故障状態が生じる場合、それが操作システム或いは停電事故によつて発生するかに係わることなくＳＥＣＳ直列通信用線路20a ，30a の中断となり、当該設備ユニット20上に於いて行われるプロセスが中断する。尚、コンピュータ統合生産システム中の各設備ユニット20上に於いて行われるプロセスは、連続プロセス内の一ステップでもある故、如何なる一基の設備ユニットにおけるプロセス中断が全体工程の進度に影響することとなる。
【０００７】
前記問題の解決は、各拡張コンピュータ統合ユニット30内にソフトウェアモニタプログラム(software-moniter program)を増設して、前記設備ユニット20と前記拡張コンピュータ統合ユニット30間の通信内容を読み取り、前記拡張コンピュータ統合ユニット30が正常に動作しているか否かを判断し、若し、拡張コンピュータ統合ユニット30が停止状態であれば、即時に、前記ソフトウェアモニタプログラムが設備ユニット20をホストコンピュータ10との直接接続に切替る故、線路の中断が無くなる。しかし、当該解決方法の問題点は、その使用するソフトウェアモニタプログラムの開発に際して、プログラマーがＳＥＣＳ通信規定、及び拡張コンピュータ統合ユニットと、各形態の設備ユニット間の通信内容を完全に理解していなければならない。従って、この開発作業に手間がかかり、且つ、設計されたソフトウェアモニタプログラムは、通常は特定型式の設備ユニットのみに適用可能であるが他の型式の設備ユニットには適用できず、又、停電状態が生じた場合においても、目的効果の発揮ができないという問題があった。
【０００８】
【発明が解決しようとする課題】
本発明の目的は、前記従来技術の問題点に鑑み、拡張コンピュータ統合ユニットに故障が発生した場合、その接続した設備ユニットを直接ホストコンピュータに接続することにより、それぞれの設備ユニット上で行われるプロセスを直接ホストコンピュータで制御することによって、作業の中断を防ぎうるコンピュータ統合生産システムにおける直列通信用並列モニタ装置を提供することにある。
また、本発明の他の目的は、拡張コンピュータ統合ユニットに故障が発生した場合においても、その切替機能を発揮することによって、接続された設備ユニットを即時ホストコンピュータに直接接続しうるコンピュータ統合生産システムの直列通信用並列モニタ装置を提供することにある。
更に、本発明の他の目的は、通信内容が互いに異なる各型式の設備ユニットに適用するコンピュータ統合生産システムの直列通信用並列モニタ装置を提供することにある。
【０００９】
【課題を解決するための手段】
前記目的に基づいて提供する第１発明の直列通信用並列モニタ装置は、少なくとも一基の設備ユニットと、該設備ユニットにおける工程の進行状況をモニタしつつ前記設備ユニットを制御する少なくとも一基のホストコンピュータと、前記設備ユニットにおける工程の進行状況をモニタし、モニタ結果を前記ホストコンピュータへ与える少なくとも一基の拡張コンピュータ統合ユニットとを含み、前記ホストコンピュータと、前記拡張コンピュータ統合ユニット及び前記設備ユニット間を直列通信インターフェースを介して互いにデータ通信を行い、前記ホストコンピュータと、前記設備ユニット上にそれぞれの直列通信ポートを少なくとも一つ備え、しかも、前記拡張コンピュータ統合ユニットに、第１の連通ポートと第２の連通ポートを備えるコンピュータ統合生産システムに適用する直列通信用並列モニタ装置であって、
(a) 、前記ホストコンピュータ上の通信ポートに接続する為の第１の接続ポートと、前記拡張コンピュータ統合ユニット上の第２の連通ポートと接続する為の第２の接続ポートと、前記拡張コンピュータ統合ユニット上の第１の連通ポートと接続する為の第３の接続ポート及び前記設備ユニットの通信ポートに接続する為の第４の接続ポートとを有し、
(b) 、第１の切替位置に切替えられた場合に前記第４の接続ポートを前記第１の接続ポートに接続させ、第２の切替位置に切替えられた場合に前記第４の接続ポートを前記第３の接続ポートに接続させると共に、前記第１の切替位置または前記第２の切替位置に切替自在の切替モジユールを有し、
(c) 、前記拡張コンピュータ統合ユニットの正常動作状態又は故障状態を検知し、前記拡張コンピュータ統合ユニットが正常動作状態の場合は、前記切替モジユールを前記第２の切替位置に位置させて前記設備ユニットを前記拡張コンピュータ統合ユニットに接続させると共に、前記ホストコンピュータに連通し、前記拡張コンピュータ統合ユニットが故障状態の場合は、前記切替モジユールを前記第１の切替位置に位置させて前記設備ユニットを直接前記ホストコンピュータに接続する制御用ロジック装置を備え、前記制御用ロジック装置は、計時手段を有し、前記拡張コンピュータ統合ユニットを経由する前記ホストコンピュータと前記設備ユニットとの間の通信内容の内の前記ホストコンピュータからの要求信号それぞれに対する前記設備ユニットからの回答時間が前記計時手段が算出する基準参考時間を越えるか否かを継続的に検出することにより、前記回答時間が前記基準参考時間を越える場合に前記拡張コンピュータ統合ユニットが故障状態であると判定することを特徴とする。
【００１０】
第２発明に係る直列通信用並列モニタ装置は、第１発明において、前記ホストコンピュータ及び前記設備ユニット上の直列通信ポートが半導体装置通信規定(SECS)の直列通信ポートであることを特徴とする。
【００１１】
第３発明に係る直列通信用並列モニタ装置は、第１発明において、前記切替モジユールに複数の継電器を含むことを特徴とする。
【００１３】
第４発明に係る直列通信用並列モニタ装置は、第１発明において、前記拡張コンピュータ統合ユニットは、前記ホストコンピュータ以外の独立するコンピュータ装置であることを特徴とする。
【００１４】
第５発明に係るコンピュータ統合生産システムは、少なくとも一基の設備ユニットと、該設備ユニットにおける工程の進行状況をモニタしつつ前記設備ユニットを制御する少なくとも一基のホストコンピュータと、前記設備ユニットにおける工程の進行状況をモニタし、モニタ結果を前記ホストコンピュータへ与える少なくとも一基の拡張コンピュータ統合ユニットとを含むコンピュータ統合生産システムであって、
(a) 、一つの直列通信ポートを備えるホストコンピュータを少なくとも１基と、
(b) 、一つの直列通信ポートを備える設備ユニットを少なくとも１基と、
(c) 、第１の連通ポート及び第２の連通ポートを備える拡張コンピュータ統合ユニットを少なくとも１基、及び
(d) 、直列通信用並列モニタ装置を少なくとも１基を含み、
前記直列通信用並列モニタ装置は、
(d1)、前記ホストコンピュータ上の通信ポートとの接続に用いる第１の接続ポートと、前記拡張コンピュータ統合ユニット上の第２の連通ポートとの接続に用いる第２の接続ポートと、前記拡張コンピュータ統合ユニット上の第１の連通ポートとの接続に用いる第３の接続ポートと、前記設備ユニット上の通信ポートとの接続に用いる第４の接続ポートとを有し、
(d2)、第１の切替位置に切替えられた場合に前記第４の接続ポートを前記第１の接続ポートに接続させ、第２の切替位置に切替えられた場合に前記第４の接続ポートを前記第３の接続ポートに接続させると共に、前記第１の切替位置または前記第２の切替位置に切替自在の切替モジユールを有し、
(d3)、計時手段を有し、前記拡張コンピュータ統合ユニットを経由する前記ホストコンピュータと前記設備ユニットとの間の通信内容の内の前記ホストコンピュータからの要求信号それぞれに対する前記設備ユニットからの回答時間が前記計時手段が算出する基準参考時間を越えるか否かを継続的に検出することにより、前記回答時間が前記基準参考時間を越える場合に前記拡張コンピュータ統合ユニットが故障状態であると判定し、
前記拡張コンピュータ統合ユニットが正常動作状態の場合は、前記切替モジユールを前記第２の切替位置に位置させて前記設備ユニットを前記拡張コンピュータ統合ユニットに接続させると共に、前記ホストコンピュータに連通し、
前記拡張コンピュータ統合ユニットが故障状態であると判定された場合は、前記切替モジユールを前記第１の切替位置に位置させて前記設備ユニットを直接前記ホストコンピュータに接続することを特徴とする。
【００１５】
第６発明に係るコンピュータ統合生産システムは、第５発明において、前記ホストコンピュータ及び前記設備ユニット上の直列通信ポートが半導体装置通信規定(SECS)の直列通信ポート、または、特別通信規定の直列通信ポートであることを特徴とする。
【００１６】
第７発明に係るコンピュータ統合生産システムは、第５発明において、前記拡張コンピュータ統合ユニットは、前記ホストコンピュータ以外の独立するコンピュータ装置であることを特徴とする。
【００１８】
第８発明に係るコンピュータ統合生産システムは、第５発明において、前記切替モジユールに複数の継電器を含むことを特徴とする。
【００２１】
具体的に述べれば、拡張コンピュータ統合ユニットに故障発生の場合は、本発明の直列通信用並列モニタ装置が、設備ユニットを直接ホストコンピュータとの連続に切替え、設備ユニットにおける進行中の工程制御をホストコンピュータの直接制御に転嫁する故作業の中断を避けることができる。
【００２２】
【発明の実施の形態】
図１は、本発明の直列通信用並列モニタ装置を用いたコンピュータ統合生産システムの基本構成を示すブロック図である。図１が示すように、コンピュータ統合生産システムは、ホストコンピュータ10と、設備ユニット20と、拡張コンピュータ統合ユニット30及び本発明が提供する直列通信用並列モニタ装置100 を含む。
【００２３】
ホストコンピュータ10には、図面内のHOST.SECS で表示された標準化直列通信ポート、例えば、半導体装置通信規定(SECS)の通信用ポートを有し、設備ユニット20にも、同様に図面内のEQU.SECSで表示されたSECS直列通信ポートを有し、拡張コンピュータ統合ユニット30にSECS直列通信ポートの第１連通ポートＰ1 及び第２連通ポートＰ2 を備える。
【００２４】
本発明の直列通信用並列モニタ装置100 は少なくとも４つの外部接続用の接続ポートＣ1 、Ｃ2 、Ｃ3 及びＣ4 を備える。第１の接続ポートＣ1 はホストコンピュータ10上のHOST.SECS 直列通信ポートに、第２の接続ポートＣ2 は拡張コンピュータ統合ユニット30上の第２連通ポートＰ2 に、第３の接続ポートＣ3 は拡張コンピュータ統合ユニット30上の第１連通ポートＰ1 に、第４の接続ポートＣ4 は設備ユニット20上のEQU.SECS直列通信ポートにそれぞれ接続されている。
【００２５】
本発明の直列通信用並列モニタ装置100 は、拡張コンピュータ統合ユニット30が正常状態で動作している場合、第１の接続ポートＣ1 に第２の接続ポートＣ2 が接続されると共に、第３の接続ポートＣ3 に第４の接続ポートＣ4 が接続される。即ち、図１に破線で示すように、Ｃ1 →Ｃ2 間及びＣ3 →Ｃ4 間が接続される。これにより、設備ユニット20が拡張コンピュータ統合ユニット30に接続されると共に、拡張コンピュータ統合ユニット30を介してホストコンピュータ10に連通する。逆に、拡張コンピュータ統合ユニット30に故障発生の場合は、直列通信用並列モニタ装置100 が前記状態を検出して、即時、図２に破線で示すように、正常状態時のＣ1 →Ｃ2 間及びＣ3 →Ｃ4 間の接続を切断し、第１の接続ポートＣ1 と第４の接続ポートＣ4 とを接続する。これにより、設備ユニット20が直接ホストコンピュータ10に接続された状態となり、拡張コンピュータ統合ユニット30の故障状態時において、設備ユニット20が進行中の工程制御をホストコンピュータ10に転嫁する故、中断によるコンピュータ統合生産システムにおける全体工程の進度に影響がない。
【００２６】
図３は、本発明の直列通信用並列モニタ装置100 の内部構成を示す回路ブロック図である。図３が示すように、直列通信用並列モニタ装置100 上の第１の接続ポートＣ1 は、ホストコンピュータ10上の一対の直列信号線(HOST.TX, HOST.RX)に接続される。尚、HOST.TX は、ホストコンピュータ10のデータ出力線であって、HOST.RX は、ホストコンピュータ10のデータ入力線である。第２の接続ポートＣ2 は、拡張コンピュータ統合ユニット30上の第２の連通ポートＰ2 の一対直列信号線(PASSTHROUGH. TX2, PASSTHROUGH. RX2)との接続に用いられ、PASSTHROUGH. TX2は、第２の連通ポートＰ2 のデータ出力線であって、 PASSTHROUGH. RX2 は、第２の連通ポートＰ2 のデータ入力線である。第３の接続ポートＣ3 は、拡張コンピュータ統合ユニット30上の第１の連通ポートＰ1 の一対直列信号線(PASSTHROUGH. TX1  PASSTHROUGH. RX1)との接続に用いられ、PASSTHROUGH. TX1は、第１の連通ポートＰ1 のデータ出力線を代表し、 PASSTHROUGH. RX1 は、第１の連通ポートＰ1 のデータ入力線を代表し、尚、第４の接続ポートＣ4 は設備ユニット20上の一対直列信号線(EQUIPMENT.RX, EQUIPMENT.TX)との接続に用いられ、EQUIPMENT.TXは、設備ユニット20のデータ出力線を代表し、 EQUIPMENT.RX は、設備ユニット20のデータ入力線を代表する。
【００２７】
尚、直列通信用並列モニタ装置100 の内部回路構成に一組の切替モジュール101 、102 及び制御用ロジック装置110 を備える。切替モジュール101 及び102 は、複数の切替ユニットで形成され、制御用ロジック装置110 の制御により回路を第１の切替位置SP1 或いは第２の切替位置SP2 に切替自在であり、制御用ロジック装置110 が拡張コンピュータ統合ユニット30の正常動作を検出した場合、切替モジュール101 及び102 を第２の切替位置SP2 に切替え、制御用ロジック装置110 が拡張コンピュータ統合ユニット30の故障発生を検出した場合に切替モジュール101 及び102 を第１の切替位置SP1 に切替る。
【００２８】
制御用ロジック装置110 における拡張コンピュータ統合ユニット30の正常動作状態又は故障状態の検出方法は、全ての直列信号線(HOST.TX, HOST.RX)、(PASS-TROUGH. TX2, PASSTHROUGH. RX2)、(PASSTHROUGH.TX1, PASSTHROUGH. RX1) 及び(EQUIPMENT.RX, EQUIPMENT.TX)上のデータ通信が正常に進行されているか否かを検査する。例えば、要求信号に対する回答時間が所定時間以上であるかを継続的に検査し、若し、拡張コンピュータ統合ユニット30が故障状態であると判定した場合、即時に切替可能信号を切替モジュール101 及び102 に出力して、切替モジュール101 及び102 を第１の切替位置SP1 に切替る。
【００２９】
また、図３が示すように、切替モジュール101 及び102 が第２の切替位置SP2 に切替えられた場合は、設備ユニット20の直列信号線 EQUIPMENT.RX とEQUIPMENT.TXを拡張コンピュータ統合ユニット30のそれぞれの直列信号線 PASSTHROUGH.TX1と PASS-THROUGH. RX1に接続すると共に、ホストコンピュータ10の直列信号線 HOST.TXとHOST. RXを拡張コンピュータ統合ユニット30のそれぞれの直列信号線 PASSTROUGH. TX2とPASSTHROUGH. RX2に接続する。従って、設備ユニット20は、拡張コンピュータ統合ユニット30の第１の連通ポートＰ1 に接続されると共に、ホストコンピュータ10を拡張コンピュータ統合ユニット30の第２の連通ポートＰ2 に接続する。よって、設備ユニット20は、拡張コンピュータ統合ユニット30に接続され、同時に、拡張コンピュータ統合ユニット30を介してホストコンピュータ10に連通する。
【００３０】
逆に、切替モジュール101 及び102 が第１の切替位置SP1 に切替えられた場合は、図４が示すように、設備ユニット20の直列信号線 EQUIPMENT.RX とEQUIPMENT.TXをホストコンピュータ10のそれぞれの直列信号線 HOST.TXとHOST. RXに接続させ、この接続により設備ユニット20を直接ホストコンピュータ10に接続させ、設備ユニット20をホストコンピュータ10が直接制御する形態を形成する。
【００３１】
直列通信用並列モニタ装置100 内の切替モジュール101 及び102 には、電子型スイッチ又は継電器等を用いることができるが、継電器を用いることが最も好ましい。継電器を用いた実施方式において、それぞれの継電器に電源が供給された場合（即ち、継電器の動作位置）に第２の切替位置SP2 に切替えられるように設定し、無電源供給時（即ち、継電器のリリース位置）に第１の切替位置SP1 に切替えられるように設定する。尚、拡張コンピュータ統合ユニット30のシステム電源ＶCCを直列通信用並列モニタ装置100 の電源とする。この実施方式は、拡張コンピュータ統合ユニット30のシステム電源ＶCCが停電になれば、それぞれの継電器が直ちに第１の切替位置SP1 へリリースして、設備ユニット20をホストコンピュータ10との直接接続に切り替える。
【００３２】
依って、拡張コンピュータ統合ユニット30が正常動作の場合は、本発明の直列通信用並列モニタ装置100 が設備ユニット20を拡張コンピュータ統合ユニット30に接続させ、拡張コンピュータ統合ユニット30を介してホストコンピュータ10と連通する。しかし、拡張コンピュータ統合ユニット30に故障発生の場合は、本発明の直列通信用並列モニタ装置100 が直ちに、設備ユニット20をホストコンピュータ10に直接接続させて、設備ユニット20が進行中の工程制御をホストコンピュータ10に転嫁する故、工程における中断がない。
【００３３】
図５に本発明の直列通信用並列モニタ装置100 の制御用ロジック装置110 の構成を示す。制御用ロジック装置110 は、九つのユニットに分割され、ＣＰＵ 40 と、通信モニタ装置45、通信状態指示装置55と、回路状態指示装置65と、警報装置75と、切替回路50と、リセット装置60と、計時装置70及び電源調整装置80を備える。ＣＰＵ 40 は、決定及び分析に用いられ、通信モニタ装置45は、通信回路上の通信データ読み取りに用いられ、通信状態指示装置55は、現状通信状態を表示し、回路状態指示装置65は、現状回路の切替状態指示に用いられる。よって、本発明において、拡張コンピュータ統合ユニット30を切り離した場合、警報装置75によって警報ベルを鳴動させ、機械式回路選択器である切替回路50が、リセット装置60によって、切替形式（拡張コンピュータ統合ユニット30が切離された状態）を解除し、システムの操作状態を一般形式（拡張コンピュータ統合ユニット30と、ホストコンピュータ10及び設備ユニット20が接続している状態）に戻す。計時装置70が本発明の基準参考時間を算出し、電源調整装置80で入力される本発明の電圧は、ＤＣ９〜２４Ｖの弾力的な範囲を有し、且つ、入力電圧の極性を考慮する必要もない。
【００３４】
図６は、本発明の直列通信用並列モニタ装置100 を複数ホストコンピュータ及び複数設備ユニットのコンピュータ統合生産システムに用いた基本構成を示すブロック図である。
図６が示すように、コンピュータ統合生産システムに、複数基のホストコンピュータ10と、複数基の設備ユニット20及び複数の拡張コンピュータ統合ユニット30を含み、各ホストコンピュータ10と、その接続する設備ユニット20及び拡張コンピュータ統合ユニット30の間に直列通信用並列モニタ装置100 を接続する。前記コンピュータ統合生産システム内の何れかの拡張コンピュータ統合ユニット30に故障停止状態が発生した場合、その拡張コンピュータ統合ユニット30に接続する直列通信用並列モニタ装置100 が作用して、その直列通信用並列モニタ装置100 に接続する設備ユニット20をその直列通信用並列モニタ装置100 が接続されたホストコンピュータ10に直接接続する。よって、図６が示すようにコンピュータ統合生産システムの何れの設備ユニット20に於いて行われる工程も、それぞれの設備ユット20が接続する拡張コンピュータ統合ユニット30に故障停止状態が発生した場合にも中断することがなく、全工程に影響することがない。
【００３５】
図７は、本発明の直列通信用並列モニタ装置100 を少なくとも２個以上のマルチ通信ポートのモニタ及び制御に用いた場合のシステムを示すブロック図である。図７内の直列通信用並列モニタ装置100 は、マルチ通信ポートを備える直列通信システム85と86のモニタ及び制御に用いられる。
【００３６】
図８及び９は、本発明の直列通信用並列モニタ装置100 が少なくとも二つ以上の区域ネットワークのホストコンピュータ系統に適用された場合のブロック図である。図中の区域ネットワーク90内に少なくともホストコンピュータ10と11を有し、実施中のホストコンピュータ10が故障で通信不能に、又は、予備用ホストコンピュータ11が設備ユニット21との直列通信に介入する場合、図９が示すように、本発明の直列通信用並列モニタ装置100 がシステムのホストコンピュータ切替えを行い、ホストコンピュータ10との接続を切断する。
以上の記述は、本発明のより良き実施例及びその応用状態のみを開示するものであって、発明の実質技術内容の範囲を拘束するものではない。本発明の実質技術内容は、広義的に定義された首記の特許請求範囲内に開示する請求項による故、如何なる他人が完成しうる技術実態又はその方法が、首記の特許請求範囲に掲示するものと完全に相同、或いは、その一部分が同効果の変更であれば、前記特許請求範囲に含まれることをも主張する。
【図面の簡単な説明】
【図１】本発明のコンピュータ統合生産システムを示すブロック図である。
【図２】図１に示すコンピュータ統合生産システムに於ける拡張コンピュータ統合ユニットに故障が発生した場合のシステム接続状態を示すブロック図である。
【図３】本発明の直列通信用並列モニタ装置の内部回路構成を示す回路ブロック図である。
【図４】図３に示す直列通信用並列モニタ装置の拡張コンピュータ統合ユニットに故障が発生した場合の切替状態を示すブロック図である。
【図５】  本発明の直列通信用並列モニタ装置の制御用ロジック装置の構成を示すブロック図である。
【図６】本発明の直列通信用並列モニタ装置を複数ホストコンピュータ及び複数設備ユニットのコンピュータ統合生産システムに用いた基本構成を示すブロック図である。
【図７】本発明の直列通信用並列モニタ装置を少なくとも２個以上のマルチ通信ポートのモニタ及び制御に用いた場合のシステムを示すブロック図である。
【図８】本発明の直列通信用並列モニタ装置100 が少なくとも二つ以上の区域ネットワークのホストコンピュータ系統に適用された場合のブロック図である。
【図９】図８における実施中のホストコンピュータに故障が発生した場合、または、予備ホストコンピュータが通信権を獲得した場合の接続状態を示すブロック図である。
【図１０】従来技術における周知コンピュータ統合生産システムの基本構成を示すシステムブロック図である。
【図１１】従来技術における周知拡張コンピュータ統合ユニットを備えるコンピュータ統合生産システムの基本構成を示すブロック図である。
【図１２】図11の従来技術におけるコンピュータ統合生産システムの拡張コンピュータ統合ユニットに故障が発生した場合のシステム状態を示すブロック図である。
【符号の説明】
10，11      ホストコンピュータ
20，21，22  設備ユニット
20a   設備ユニット20のSECS直列通信用線路
21a   設備ユニット21のSECS直列通信用線路
22a   設備ユニット22のSECS直列通信用線路
30    拡張コンピュータ統合ユニット
30a   拡張コンピュータ統合ユニット30のSECS直列通信用線路
40    ＣＰＵ
45    通信モニタ装置
50    切替回路
55    通信状態指示装置
60    リセット装置
65    回路状態指示装置
70    計時装置
75    警報装置
80    電源調整装置
85，86  直列通信システム
90    区域ネットワーク
100   直列通信用並列モニタ装置
101 ，102   切替モジュール
110   制御用ロジック装置
Ｃ1 ，Ｃ2 ，Ｃ3 ，Ｃ4   接続ポート
Ｐ1 ，Ｐ2   連通ポート
【図１】
0003708811.tif 000002
【図２】
0003708811.tif 000003
【図３】
0003708811.tif 000004
【図４】
0003708811.tif 000005
【図５】
0003708811.tif 000006
【図６】
0003708811.tif 000007
【図７】
0003708811.tif 000008
【図８】
0003708811.tif 000009
【図９】
0003708811.tif 000010
【図１０】
0003708811.tif 000011
【図１１】
0003708811.tif 000012
【図１２】
0003708811.tif 000013